(57)【要約】【課題】  テレビジョン受像機の各種機能を制御するマイクロコンピュータと、画面上に文字や記号を発生させるオンスクリーン発生回路と、画面の明るさを調整する映像信号処理回路とを有すテレビジョン受像機であって、電気回路を変更することなく、また特別の装置を要すことなく保護回路が誤動作するか否かをチェックする為のテストモードを備えたテレビジョン受像機の提供。【解決手段】  マイクロコンピュータが外部からの指示に基づいて、画面の明るさが最大になるようにした第１の状態と、画面の明るさが最小になるようにした第２の状態とに、交互に切り替える制御を行うモードを備え、この切り替えの際に保護回路が誤動作するか否かをチェックすることが出来る。【選択図】    図２
2005159960.tif 000002
【特許請求の範囲】
【請求項１】
テレビジョン受像機の各種機能を制御するマイクロコンピュータと、画面上に文字や記号を発生させるオンスクリーン発生回路と、画面の明るさを調整する映像信号処理回路とを有すテレビジョン受像機において、上記マイクロコンピュータが外部からの指示に基づいて、画面の明るさが最大になるようにした第１の状態と、画面の明るさが最小になるようにした第２の状態とに、交互に切り替える制御を行うモードを備えたことを特徴とする保護回路誤動作確認用テストモードを備えたテレビジョン受像機。
【請求項２】
上記画面の明るさ調整を最大値に設定した状態を第１の状態、映像信号をミュートした状態を第２の状態とした請求項１記載の保護回路誤動作確認用テストモードを備えたテレビジョン受像機。
【請求項３】
上記第１の状態の時に、オンスクリーン発生回路から画面全体に白レベルを出力するようにした請求項１、又は請求項２記載の保護回路誤動作確認用テストモードを備えたテレビジョン受像機。
【発明の詳細な説明】
【技術分野】
【０００１】
本発明はテレビジョン受像機の電気回路において、フライバックトランスの過電流保護回路の誤動作が発生しないように、前以てチェックするテストモードを備えたテレビジョン受像機に関するものである。
【背景技術】
【０００２】
図１は従来の一般的なテレビジョン受像機の電気回路ブロック図を表している。この電気回路において、フライバックトランスが設けられ、該フライバックトランスの入力側は偏向回路用電源が接続され、出力側はブラウン管と接続している。ここで、フライバックトランスへ流れる電流が規定以上に成ったならば、又フライバックトランスの出力側電圧が規定以上になったならば、電源がＯＦＦに成るような保護回路と成っている。
【０００３】
ところで、テレビ画面には色々な画像が映し出されるために、時には真っ黒な画像から真っ白な画像になることがあり、この際にはブラウン管に大きな電流が流れることになる。この画像の切り替わりに基づく電流が過電流とみなされて電源がＯＦＦになるといった事態が発生し、テレビを観て楽しんでいる人に大きな迷惑をかけることになる。
【０００４】
従来においても、この画面の切れ替わりに基づく大きな電流によって電源がＯＦＦにならないような対応は色々行われているが、面倒であると共に作業性が悪い。例えば、白画面と黒画面とが交互に切れ替わるテストパターン発生器、或いは白画面と黒画面とが交互に切り替わる画面を録画したテープを再生する為のビデオをテレビジョン受像機に接続し、テレビ画面を白と黒に交互に表示させる方法を採用している。
【０００５】
テレビ画面が黒い時はフライバックトランスへ流れる電流は最小になり、テレビ画面が白い時にはフライバックトランスへ流れる電流は最大となる。そこで、フライバックトランスへ流れる電流が最小から最大へ、逆に最大から最小になる時に保護回路が作動してテレビ画面が映らなくなる。勿論、保護回路が動作する時の電流はあらかじめ設定してあるが、テレビジョン受像機の量産工程では、画面明るさのバラツキ、高圧回路調整のバラツキ、高圧回路に使われる部品のバラツキ、過電流保護回路に使用される部品のバラツキ等によって、誤動作が発生する。
【特許文献１】特開平５−３０８５３４号に係る「フライバックトランスの過電流保護回路」
【特許文献２】特開平８−３２２１３６号に係る「保護回路」
【特許文献３】特開平７−７２８１９号に係る「高圧電源装置」
【特許文献４】特開平５−２０６７６７号に係る「音量調整装置」
【特許文献５】特開平６−２１７２３３号に係る「テレビジョン受像機」
【発明の開示】
【発明が解決しようとする課題】
【０００６】
このように発生する過電流をチェックするには、白画面と黒画面とが交互に切り替わるテストパターン発生器を必要とする。又は、白画面と黒画面とが交互に切り替わる画面を録画したテープを再生する為のビデオが必要となる。そして、上記テストパターン発生器、又はビデオをテレビジョン受像機に接続しなくてはならない。その為に、工場においては保護回路の誤動作をチェックする専用工程を設けることとなり、生産性は低くなる。
【０００７】
本発明が解決しようとする課題はこの問題点であり、テストパターン発生器やビデオを必要としないで、保護回路が誤動作しないかどうかをチェックするためのテストモードを備えたテレビジョン受像機を提供する。
【課題を解決するための手段】
【０００８】
本発明に係るテレビジョン受像機は、その電気回路にテストモードを構成している。このテストモードは普通にテレビを観る時には必要でなく、工場でテレビを製造する際のチェック・調整工程において、該テストモードを選択することが出来る。そして、該テストモードは黒画面から白画面に替わった際に、過電流保護回路が誤動作しないかどうかをチェックするためのチェック機能を設けている。
【０００９】
すなわち、テレビ画面がマイクロコンピュータによって第１の状態(画面の明るさの最大値)と第２の状態(映像信号のミュート)を交互に繰り返すことが出来る制御を行う。すなわち、該マイクロコンピュータにて映像信号処理回路を制御することで、上記第１の状態と第２の状態を繰り返すことにより、テレビ画面は真っ白の状態と真っ暗な状態を繰り返すことが出来る。
【００１０】
真っ黒の状態ではフライバックトランスへの電流が最も小さく、逆に真っ白の状態では最も大きくなる。そして、真っ黒の状態では電圧が最も大きくなって放射されるＸ線も多くなり、真っ白の状態では電圧は最も小さくて放射されるＸ線も少なくなる。本発明は、特別な装置を用いることなく、従来の電気回路を利用してテストモードを構成して白画面と黒画面を交互に繰り返すことが出来、その際に発生する電流及び電圧の変化によって保護回路が誤動作しないかどうかをチェックする。
【発明の効果】
【００１１】
本発明は電気回路内に第１の状態と第２の状態を繰り返すことが出来るテストモードを備えているために、従来のような白画面と黒画面とは交互に切れ替わる特別なテストパターン発生器は不要となる。又、白画面と黒画面とが交互に切れ替わる画面を録画したテープを再生する必要もない。すなわち、テストモードを選択することで、白画面と黒画面とが交互に繰り返され、この際に過電流保護回路が誤動作しないかどうかをチェックすることが出来る。
【００１２】
本発明では、テストモードを選択するだけでよく、テレビにテストパターン発生器やビデオデッキを接続することを要しない。従って、過電流保護回路の誤動作をチェックする専用工程を設けなくてもよく、生産性は向上する。そして、フライバックトランスへの過電流を規制する過電流保護回路の誤動作をチェックするだけでなく、Ｘ線保護回路の誤動作をチェックすることも可能である。
【００１３】
フライバックトランスから発生する電圧が最も高い状態から最も低い状態、或いはフライバックトランスから発生する電圧が最も低い状態から最も高い状態に変化する時、Ｘ線保護回路が誤動作して電源が切れることがあるが、本発明ではテストモードを使用することで、このＸ線保護回路の誤動作をしないかどうかをチェックすることも可能である。
【実施例】
【００１４】
図１は本発明のテレビジョン受像機を構成する電気回路のブロック図であり、該電気回路は従来と同じである。スピーカーから出る音声はアンテナから入った音声信号がチューナーに入り、音声信号処理回路を経て音声出力回路を通ってスピーカーから出力される。又、ブラウン管に映る映像は、アンテナから入った映像信号が映像信号処理回路を経て映像出力回路を通ってブラウン管から出力される。
【００１５】
この電気回路にはフライバックトランスが設けられ、入力側には偏向回路用電源から電力が供給され、出力側に発生した高圧をブラウン管に接続している。ところで、該フライバックトランスへ流れる電流は検出され、この電流値はマイクロコンピュータへ送られる。そして、この電流が規定以上になったならばリレースイッチが切れて、電源がＯＦＦとなる。すなわち、過電流保護回路が動作するように成っている。
【００１６】
また、ブラウン管に接続しているフライバックトランスの出力側電圧も検出され、この電圧値はマイクロコンピュータへ送られ、規定値を超えた電圧となった場合には、同じくリレースイッチが切れて電源がＯＦＦとなる。電圧が高くなるならば、放射されるＸ線が多くなり、これを防止する為にＸ線保護回路が動作する。
【００１７】
ところで、上記過電流保護回路及びＸ線保護回路が正しく動作しなくてはならないが、テレビジョン受像機の量産工程では、画面明るさのバラツキ、高圧回路調整のバラツキ、高圧回路に使われる部品のバラツキ、過電流保護回路に使用される部品のバラツキ等によって、誤動作が発生する。電流及び電圧が規定値内であるにも関わらず、誤動作にて電源がＯＦＦとなる。
【００１８】
そこで、本発明の電気回路にはテストモードが設けられ、誤動作にて電源がＯＦＦにならないかどうかをチェックする。すなわち、テレビ画面が第１の状態と第２の状態が交互に繰り返すことが出来るようにマイクロコンピュータにて制御する。例えば、第１の状態と第２の状態が１秒間隔で交互に繰り返すように制御することが出来る。
【００１９】
映像信号処理回路では、画面の明るさ(ＢＲＩＧＨＴ)や画面の明暗(ＣＯＮＴＲＡＳＴ)や画面の色の濃さ(ＣＯＬＯＲ)などの調整が出来るように成っており、マイクロコンピュータの制御により、夫々最小値から最大値の範囲内で好みの画面になるように、テレビを観る人が調整することが出来る。又、映像信号処理回路では、受信チャンネルを切り換えた瞬間の乱れた画像が映らないようにするために、マイクロコンピュータの制御により、映像信号にミュートをかけている。そこで、第１の状態とは画面の明るさ及び明暗を最大値にする状態であり、第２の状態とは映像信号をミュートする状態である。
【００２０】
従って、テレビ画面は第１の状態と第２の状態を繰り返すことで、白画面と黒画面が交互に切り替わることになる。白画面の時はフライバックトランスに流れる電流が最も大きくなり、黒画面の時はフライバックトランスに流れる電流が最も小さくなる。そこで白画面と黒画面が交互に切り替わることで、フライバックトランスに流れる電流が大きく変動する為に、過電流保護回路が誤動作を起こし易くなる。
【００２１】
又、白画面のときはフライバックトランスの出力側から発生する電圧が最も低くなり、黒画面の時は電圧が最も高く成るために、白画面と黒画面が交互に切り替わることで、フライバックトランスの出力側から発生する電圧が大きく変動し、Ｘ線保護回路が誤動作を起こし易くなる。
【００２２】
図２は本発明のテストモードを使用して過電流保護回路が誤動作しないかどうかをチェックする手順を示すフローチャートである。なお、本手順を行うときには、テレビジョン受像機の画面は何も受信していないスノーノイズ画面でもよいが、好ましくは白の部分が多い画面を映しておく方が良い。例えば、画面の大きさを調整する時に用いるモノスコープ画面などである。
(１)工場調整モードキーを押すならば、調整項目選択画面が表示される。
【００２３】
テレビジョン受像機の調整項目には、明るさの調整、画面の大きさの調整、画  面の位置調整などがあり、今回は保護回路チェックモードを選択する。
(２)ルーチンが開始されて、白画面と黒画面が交互に入れ替わる。
【００２４】
この際に、過電流保護回路又はＸ線保護回路が動作した場合には、過電流保護  回路又はＸ線保護回路により電源がＯＦＦになり、過電流保護回路又はＸ線保  護回路が誤動作を起こしたことが分かる。
(３)保護回路が動作せずに、白画面と黒画面が交互に入れ替わるルーチンが続くならば、「戻る」を選択し、「調整モード終了キー」を押して工場調整モードを解除して通常の画面に戻して終わる。
【００２５】
上記白画面と黒画面の繰り返しは、過電流保護回路及びＸ線保護回路が動作しない場合には、一定時間が経過することで自動的に戻るようにすることも可能である。又、電気回路には「オンスクリーン発生回路」が備わっていて、これは画面に文字や記号を発生することが出来る回路であるが、映像出力回路へ信号を送って画面全体を白くすることが出来る。そこで、第１の状態の時に、このオンスクリーン発生回路から画面を白くなるように出力制御することも可能である。こうすることにより、本手順を行うときに、テレビジョン受像機には白の部分が多い画面を映しておく必要もなくなる。
【図面の簡単な説明】
【００２６】
【図１】テレビジョン受像機に係る電気回路のブロック図。
【図２】テストモードを用いた操作を示すフローチャート。
【図１】
2005159960.tif 000003
【図２】
2005159960.tif 000004